(57)【要約】【課題】  赤外線リモコンの効きを改善するのに適したＬＥＤ照明器具を提供すること。【解決手段】  ＬＥＤ照明器具は、第１方向における一方側である照射側を向く支持面２２０ａ、および上記第１方向に貫通する開口部２２１を有する支持板２２０と、支持面２２０ａに支持された複数のＬＥＤチップ３１０と、支持板２２０に対して上記第１方向他方側である設置側に位置し、かつ、上記第１方向視において開口部２２１と重なり、上記第１方向照射側からの赤外線信号を受信するための受光素子５１０と、開口部２２１を覆う板状部５２１を有し、一部が支持板２２０に重なる可視光カットフィルタ５２０と、を備え、可視光カットフィルタ５２０における支持板２２０との重合部分の幅は、板状部５２１の厚みよりも大である。【選択図】  図４
2014022101.tif 000002
【特許請求の範囲】
【請求項１】
第１方向における一方側である照射側を向く支持面、および上記第１方向に貫通する開口部を有する支持部と、
上記支持面に支持された複数のＬＥＤチップと、
上記支持部に対して上記第１方向他方側である設置側に位置し、かつ、上記第１方向視において上記開口部と重なり、上記第１方向照射側からの赤外線信号を受信するための受光素子と、
上記開口部を覆う板状部を有し、一部が上記支持部に重なる可視光カットフィルタと、を備え、
上記可視光カットフィルタにおける上記支持部との重合部分の幅は、上記板状部の厚みよりも大であることを特徴とする、ＬＥＤ照明器具。
【請求項２】
上記可視光カットフィルタは、上記支持部に対して上記第１方向照射側に位置する、請求項１に記載のＬＥＤ照明器具。
【請求項３】
上記可視光カットフィルタは、上記板状部につながり、上記第１方向照射側に起立する環状壁部を有する、請求項２に記載のＬＥＤ照明器具。
【請求項４】
上記環状壁部は、上記第１方向視において上記開口部の外側に位置する、請求項３に記載のＬＥＤ照明器具。
【請求項５】
上記環状壁部は、上記第１方向視において上記開口部に隣接する、請求項４に記載のＬＥＤ照明器具。
【請求項６】
上記環状壁部の上記板状部につながる基端から上記第１方向照射側先端までの長さは、上記板状部の厚みよりも大である、請求項４または５に記載のＬＥＤ照明器具。
【請求項７】
上記支持面に対して上記第１方向照射側に位置し、上記ＬＥＤチップからの光を透過する、ＬＥＤカバーを備える、請求項６に記載のＬＥＤ照明器具。
【請求項８】
上記ＬＥＤカバーは、上記第１方向視において上記支持部の上記開口部と重なり、上記第１方向に貫通するカバー開口部を有する、請求項７に記載のＬＥＤ照明器具。
【請求項９】
上記カバー開口部の内周面は、上記環状壁部の外周面と対向する、請求項８に記載のＬＥＤ照明器具。
【請求項１０】
上記環状壁部の厚みは、上記板状部の厚みより大である、請求項４ないし９のいずれかに記載のＬＥＤ照明器具。
【請求項１１】
上記支持部は、上記第１方向視において環状をなしており、
上記開口部は、上記支持部の径方向における中間に位置する、請求項１ないし１０のいずれかに記載のＬＥＤ照明器具。
【請求項１２】
上記受光素子にて受信した光信号から所定の周波数帯域成分を通過させるバンドパスフィルタと、
上記バンドパスフィルタを通過した信号に基づいて上記複数のＬＥＤチップの駆動を制御する制御部と、を備え、
上記制御部は、スイッチング動作により上記複数のＬＥＤチップへ出力される、所定のスイッチング周波数を有する直流電圧を生成し、
上記スイッチング周波数は、上記バンドパスフィルタの周波数帯域に含まれない、請求項１ないし１１のいずれかに記載のＬＥＤ照明器具。
【請求項１３】
上記スイッチング周波数をｆ１とし、上記バンドパスフィルタの中心周波数をＦとし、上記バンドパスフィルタの通過帯域幅をｆｗとすると、ｆ１＜Ｆ−ｆｗ／２、またはＦ＋ｆｗ／２＜ｆ１なる関係が成り立つ、請求項１２に記載のＬＥＤ照明器具。
【請求項１４】
上記スイッチング周波数ｆ１と、上記バンドパスフィルタの中心周波数Ｆと、上記バンドパスフィルタの通過帯域幅ｆｗとの間に、ｆ１／Ｎ＜Ｆ−ｆｗ／２、またはＦ＋ｆｗ／２＜ｆ１／Ｎ（Ｎは２以上の整数）なる関係が成り立つ、請求項１３に記載のＬＥＤ照明器具。
【請求項１５】
上記制御部は、上記複数のＬＥＤチップをデューティ制御により駆動するためのＰＷＭ信号を生成し、
上記ＰＷＭ信号の周波数をｆ２とすると、上記バンドパスフィルタの中心周波数Ｆと、上記バンドパスフィルタの通過帯域幅ｆｗとの間に、ｆ２＜Ｆ−ｆｗ／２、またはＦ＋ｆｗ／２＜ｆ２なる関係が成り立つ、請求項１３または１４に記載のＬＥＤ照明器具。
【請求項１６】
上記ＰＷＭ信号周波数ｆ２と、上記バンドパスフィルタの中心周波数Ｆと、上記バンドパスフィルタの通過帯域幅ｆｗとの間に、ｆ２×Ｎ＜Ｆ−ｆｗ／２、またはＦ＋ｆｗ／２＜ｆ２×Ｎ（Ｎは２以上の整数）なる関係が成り立つ、請求項１５に記載のＬＥＤ照明器具。
【発明の詳細な説明】
【技術分野】
【０００１】
本発明は、ＬＥＤチップを備えるＬＥＤ照明器具に関する。
【背景技術】
【０００２】
ＬＥＤチップを備えたＬＥＤ照明器具は、たとえば蛍光灯を取り付けるタイプの照明器具の代替製品として開発されている。天井に取り付けられる照明器具は、一般的にシーリングライトと称される。
【０００３】
図１４は、シーリングライトとして用いられる従来のＬＥＤ照明器具の一例を示している（たとえば、特許文献１参照）。同図に示されたＬＥＤ照明器具９００は、天井８００に取り付けて用いられる。ＬＥＤ照明器具９００は、複数の光源部９１０、反射面９２０、およびカバー９３０を備えている。光源部９１０は、各々がＬＥＤチップ（図示略）を内蔵している。反射面９２０は、たとえば白色塗装が施された金属板部材の表面である。光源部９１０からの光は、反射面９２０によって反射されることにより、図中下方へと進行する。カバー９３０は、たとえば光を拡散しながら透過する樹脂からなり、反射面９２０によって反射された光を、拡散しながら図中下方へと透過する。ＬＥＤ照明器具９００は、天井に沿ったスマートな外観と、室内を均一に照らすことを両立することが意図されている。
【０００４】
従来のＬＥＤ照明器具においては、たとえば、リモコン操作により、ＬＥＤチップの点灯・消灯、あるいは明るさの調整（調光）が行われる。ＬＥＤ照明器具には、ＬＥＤチップに電力を供給するための電源部が設けられており、電源部は、外部のリモコン送信機によって送信された赤外線信号を受信するための受光素子と、受光素子にて受信した赤外線信号に基づいてＬＥＤチップの駆動を制御する制御部と、を含んで構成される。
【０００５】
しかしながら、受光素子においては、リモコン送信機から送信される赤外線の他に、ＬＥＤチップから発せられた光が到達する場合がある。ＬＥＤチップから発せられた光が受光素子に到達すると、ノイズとして作用し、その結果、リモコンの効きが悪くなるといった不具合が生じ得た。
【先行技術文献】
【特許文献】
【０００６】
【特許文献１】特開２００８−３００２０３号公報
【発明の概要】
【０００７】
本発明は、上記した事情のもとで考え出されたものであって、赤外線リモコンの効きを改善するのに適したＬＥＤ照明器具を提供することをその課題とする。
【課題を解決するための手段】
【０００８】
本発明によって提供されるＬＥＤ照明器具は、第１方向における一方側である照射側を向く支持面、および上記第１方向に貫通する開口部を有する支持部と、上記支持面に支持された複数のＬＥＤチップと、上記支持部に対して上記第１方向他方側である設置側に位置し、かつ、上記第１方向視において上記開口部と重なり、上記第１方向照射側からの赤外線信号を受信するための受光素子と、上記開口部を覆う板状部を有し、一部が上記支持部に重なる可視光カットフィルタと、を備え、上記可視光カットフィルタにおける上記支持部との重合部分の幅は、上記板状部の厚みよりも大であることを特徴としている。
【０００９】
本発明の好ましい実施の形態においては、上記可視光カットフィルタは、上記支持部に対して上記第１方向照射側に位置する。
【００１０】
本発明の好ましい実施の形態においては、上記可視光カットフィルタは、上記板状部につながり、上記第１方向照射側に起立する環状壁部を有する。
【００１１】
本発明の好ましい実施の形態においては、上記環状壁部は、上記第１方向視において上記開口部の外側に位置する。
【００１２】
本発明の好ましい実施の形態においては、上記環状壁部は、上記第１方向視において上記開口部に隣接する。
【００１３】
本発明の好ましい実施の形態においては、上記環状壁部の上記板状部につながる基端から上記第１方向照射側先端までの長さは、上記板状部の厚みよりも大である。
【００１４】
本発明の好ましい実施の形態においては、上記支持面に対して上記第１方向照射側に位置し、上記ＬＥＤチップからの光を透過する、ＬＥＤカバーを備える。
【００１５】
本発明の好ましい実施の形態においては、上記ＬＥＤカバーは、上記第１方向視において上記支持部の上記開口部と重なり、上記第１方向に貫通するカバー開口部を有する。
【００１６】
本発明の好ましい実施の形態においては、上記カバー開口部の内周面は、上記環状壁部の外周面と対向する。
【００１７】
本発明の好ましい実施の形態においては、上記環状壁部の厚みは、上記板状部の厚みより大である。
【００１８】
本発明の好ましい実施の形態においては、上記支持部は、上記第１方向視において環状をなしており、上記開口部は、上記支持部の径方向における中間に位置する。
【００１９】
本発明の好ましい実施の形態においては、上記受光素子にて受信した光信号から所定の周波数帯域成分を通過させるバンドパスフィルタと、上記バンドパスフィルタを通過した信号に基づいて上記複数のＬＥＤチップの駆動を制御する制御部と、を備え、上記制御部は、スイッチング動作により上記複数のＬＥＤチップへ出力される、所定のスイッチング周波数を有する直流電圧を生成し、上記スイッチング周波数は、上記バンドパスフィルタの周波数帯域に含まれない。
【００２０】
本発明の好ましい実施の形態においては、上記スイッチング周波数をｆ１とし、上記バンドパスフィルタの中心周波数をＦとし、上記バンドパスフィルタの通過帯域幅をｆｗとすると、ｆ１＜Ｆ−ｆｗ／２、またはＦ＋ｆｗ／２＜ｆ１なる関係が成り立つ。
【００２１】
本発明の好ましい実施の形態においては、上記スイッチング周波数ｆ１と、上記バンドパスフィルタの中心周波数Ｆと、上記バンドパスフィルタの通過帯域幅ｆｗとの間に、ｆ１／Ｎ＜Ｆ−ｆｗ／２、またはＦ＋ｆｗ／２＜ｆ１／Ｎ（Ｎは２以上の整数）なる関係が成り立つ。
【００２２】
本発明の好ましい実施の形態においては、上記制御部は、上記複数のＬＥＤチップをデューティ制御により駆動するためのＰＷＭ信号を生成し、上記ＰＷＭ信号の周波数をｆ２とすると、上記バンドパスフィルタの中心周波数Ｆと、上記バンドパスフィルタの通過帯域幅ｆｗとの間に、ｆ２＜Ｆ−ｆｗ／２、またはＦ＋ｆｗ／２＜ｆ２なる関係が成り立つ。
【００２３】
本発明の好ましい実施の形態においては、上記ＰＷＭ信号周波数ｆ２と、上記バンドパスフィルタの中心周波数Ｆと、上記バンドパスフィルタの通過帯域幅ｆｗとの間に、ｆ２×Ｎ＜Ｆ−ｆｗ／２、またはＦ＋ｆｗ／２＜ｆ２×Ｎ（Ｎは２以上の整数）なる関係が成り立つ。
【００２４】
本発明のその他の特徴および利点は、添付図面を参照して以下に行う詳細な説明によって、より明らかとなろう。
【図面の簡単な説明】
【００２５】
【図１】本発明の第１実施形態に係るＬＥＤ照明器具を示す平面図である。
【図２】図１のＬＥＤ照明器具を示す側面図である。
【図３】図１のＬＥＤ照明器具を示す底面図である。
【図４】図１のＩＶ−ＩＶ線に沿う断面図である。
【図５】図１のＬＥＤ照明器具のカバーを除いた状態を示す平面図である。
【図６】図１のＬＥＤ照明器具に用いられるＬＥＤモジュールの一例を示す断面図である。
【図７】図１のＬＥＤ照明器具の電気的構成を示す概略図である。
【図８】ＬＥＤチップの光出力のタイムチャートの一例を示す図である。
【図９】図４の部分拡大図である。
【図１０】図９のＸ−Ｘ矢視図である。
【図１１】本発明の第２実施形態に係るＬＥＤ照明器具を示す図４と同様の断面図である。
【図１２】図１１の部分拡大図である。
【図１３】図１２のＸＩＩＩ−ＸＩＩＩ矢視図である。
【図１４】従来のＬＥＤ照明器具を示す断面図である。
【発明を実施するための形態】
【００２６】
以下、本発明の好ましい実施の形態につき、図面を参照して具体的に説明する。
【００２７】
図１〜図５は、本発明の第１実施形態に係るＬＥＤ照明器具を示している。本実施形態のＬＥＤ照明器具１０１は、本体２００、複数のＬＥＤモジュール３００、電源基板４１０、電源部４２０、受光素子５１０、可視光カットフィルタ５２０、ＬＥＤカバー６００、およびカバー７００を備えている。ＬＥＤ照明器具１０１は、たとえば天井８００の給電部８０１に対して設置部品８０２を介して取り付けられることにより、いわゆるシーリングライトとして用いられることが意図されている。なお、図５においては、理解の便宜上カバー７００のほとんどを省略している。
【００２８】
本体２００は、ＬＥＤ照明器具１０１の土台をなす部分であり、図３〜図５に示すように、センター部材２１０と、支持板２２０と、バックアップ板２３０とを備えている。センター部材２１０は、平面視（本発明でいう第１方向視）において略円環状とされており、たとえば所定の強度を有する樹脂により一体形成されている。
【００２９】
支持板２２０は、ＬＥＤモジュール３００を支持するためのものであり、たとえば鋼板などの金属板にプレス加工を施すことにより形成されている。支持板２２０は、図４における上下方向を軸線とする円環形状とされている。支持板２２０は、径方向における内縁部がビス止めなどの適宜手段によってセンター部材２１０に固定されており、天井８００とは反対側の図中下側（本発明でいう第１方向照射側）を向く支持面２２０ａを有する。支持面２２０ａは、図中上下方向に垂直な面に沿っている。支持面２２０ａには、白色塗装が施されており、光反射率の高い高反射率面とされている。支持板２２０には、図４における上下方向（第１方向）に貫通する開口部２２１が設けられている。開口部２２１は、支持板２２０の径方向における中間に位置している。
【００３０】
バックアップ板２３０は、図４に示すように、支持板２２０に対して図中上側に配置されており、たとえば鋼板などの金属板にプレス加工を施すことにより形成されている。バックアップ板２３０は、円環形状とされており、径方向における内寄り部分がビス止めなどの適宜手段によってセンター部材２１０に固定されている。バックアップ板２３０の外縁部は、支持板２２０に重合する状態にて、溶接あるいはビス止めなどの適宜手段によって支持板２２０に固定されている。バックアップ板２３０と支持板２２０との間には環状空間Ｓが形成されており、当該環状空間Ｓに後述する電源部４２０が配置される。バックアップ板２３０の天井８００側の面には、複数の緩衝材２６０が設けられている。
【００３１】
複数のＬＥＤモジュール３００は、ＬＥＤ基板２４０を介して支持面２２０ａに搭載されている。ＬＥＤ基板２４０は、たとえばガラスエポキシ樹脂からなる絶縁基板であり、一定方向に長く延びたバー状とされている。ＬＥＤ基板２４０は、複数設けられており、それぞれにおいて長手方向に間隔を隔てて複数のＬＥＤモジュール３００が搭載されている。図５に示すように、本実施形態においては、長手方向寸法の異なる３種類のＬＥＤ基板２４０が支持面２２０ａの径方向に間隔を隔てて配置されるとともに、各種類を構成する４個または８個のＬＥＤ基板２４０が環状をなすように配置されている。
【００３２】
各ＬＥＤモジュール３００は、平面視長矩形状とされている。図６は、ＬＥＤモジュール３００の短手方向に対して直角である平面における断面図を示している。同図に示すようにＬＥＤモジュール３００は、１対のリード３２０、ＬＥＤチップ３１０、封止樹脂３４０、およびケース３３０を備えている。１対のリード３２０は、たとえばＣｕ合金からなり、その一方にＬＥＤチップ３１０が搭載されている。リード３２０のうちＬＥＤチップ３１０が搭載された面と反対側の面は、ＬＥＤモジュール３００を面実装するために用いられる実装端子３２１とされている。ＬＥＤチップ３１０は、ＬＥＤモジュール３００の光源であり、たとえば青色光を発光可能とされている。封止樹脂３４０は、ＬＥＤチップ３１０を保護するためのものである。封止樹脂３４０は、ＬＥＤチップ３１０からの光によって励起されることにより黄色光を発する蛍光物質を含む透光樹脂を用いて形成されている。これにより、ＬＥＤモジュール３００は、発する光の色温度を適宜設定可能である。上記蛍光物質としては、黄色光を発するものに代えて、赤色光を発するものと緑色光を発するものとを混合して用いてもよい。ケース３３０はたとえば白色樹脂からなり、ＬＥＤチップ３１０から側方に発された光を上方に反射するためのものである。なお、ＬＥＤチップ３１０は、２つのワイヤによって１対のリード３２０に接続される、いわゆる２ワイヤタイプのものでもよい。
【００３３】
複数のＬＥＤモジュール３００については、電球色を発するもの、昼白色を発するもの、あるいは、電球色と昼白色のいずれか一方をそれぞれ発するものによって構成することができる。本実施形態においては、複数のＬＥＤモジュール３００として電球色と昼白色のいずれか一方をそれぞれ発するものを採用する場合について説明する。複数のＬＥＤモジュール３００は、電球色を発する電球色ＬＥＤモジュール３０１と、昼白色を発する昼白色ＬＥＤモジュール３０２とに区別される。図５においては、理解の便宜上、電球色ＬＥＤモジュール３０１が黒色で塗りつぶされている。本実施形態においては、各ＬＥＤ基板２４０に搭載された複数のＬＥＤモジュール３００については、電球色を発する電球色ＬＥＤモジュール３０１と昼白色を発する昼白色ＬＥＤモジュール３０２とが交互に配置される。
【００３４】
電源基板４１０は、電源部４２０および受光素子５１０を支持するためのものであり、図４に示すように、支持板２２０よりも図中上側（第１方向設置側）に設けられている。電源基板４１０は、バックアップ板２３０に支持されている。
【００３５】
電源部４２０は、天井８００の給電部８０１から供給されるたとえば交流１００Ｖ電力を、ＬＥＤチップ３１０を点灯させるのに適した電圧の直流電力に変換し、これを複数のＬＥＤモジュール３００に供給するためのものである。電源部４２０は、たとえばトランス、コンデンサ、抵抗器、ダイオード、ＩＣなどを備え、ＬＥＤチップ３１０の点灯状態を制御するのに必要な回路を含んで構成される。また、電源部４２０は、電球色ＬＥＤモジュール３０１と昼白色ＬＥＤモジュール３０２との輝度を独立して制御することが可能である。これにより、ＬＥＤ照明器具１０１は、電球色から昼白色の間の色温度の光を任意に照射可能である。本実施形態においては、図４に示すように、電源部４２０は、電源基板４１０に搭載されており、支持板２２０に対して図中上側（第１方向設置側）に配置される。
【００３６】
本実施形態において、図７に示すように、電源部４２０は、たとえば、バンドパスフィルイタ４２１および制御部４２２を有している。
【００３７】
制御部４２２においては、ＬＥＤチップ３１０に供給される直流電圧について、たとえばトランジスタなどのスイッチング素子を用いてオンオフ制御（スイッチング動作）することにより、ＬＥＤチップ３１０を駆動（点灯）するのに適した直流電圧に降圧してＬＥＤチップ３１０に出力される。スイッチング素子によるスイッチング動作の周波数（スイッチング周波数ｆ１）は、たとえば５０〜１２０ｋＨｚである。
【００３８】
また、制御部４２２においては、ＬＥＤチップ３１０の明るさを調整（調光）するための制御が行われる。制御部４２２では、ＬＥＤチップ３１０をデューティ制御により駆動するためのＰＷＭ（パルス幅変調）信号が生成され、ＬＥＤチップ３１０の調光は、ＰＷＭ信号におけるオン期間のデューティ比を変化させることにより行う。
【００３９】
図８は、ＬＥＤチップ３１０の光出力のタイムチャートの一例を示す。図８に示すように、ＬＥＤチップ３１０の出力電流については、スイッチング周波数ｆ１に対応した脈動（リプル）が生じる。また、ＰＷＭ信号によってＬＥＤチップ３１０の出力電流が変化し、図８においては、ＰＷＭ周期がｔ１、オン期間がｔ２である場合を示している。ＰＷＭ信号の周波数ｆ２は、たとえば５００〜１２００Ｈｚである。
【００４０】
受光素子５１０は、図外の赤外リモコン送信機から送信された赤外線信号を受信するためのものであり、本実施形態においては、電源基板４１０に搭載されている。受光素子５１０は、支持板２２０に対して図４における図中上側（第１方向設置側）に位置しており、平面視（第１方向視）において支持板２２０の開口部２２１と重なっている。上記赤外リモコン送信機から送信される赤外線信号は、たとえば３６．７ｋＨｚの搬送波で振幅変調されている。
【００４１】
受光素子５１０は、たとえばフォトダイオードによって構成されており、受信した光信号を電気信号に変換し、電源部４２０に出力する。受光素子５１０から出力された信号は、たとえば電源部４２０に設けられたアンプ（図示略）により増幅され、バンドパスフィルイタ４２１を通過する。バンドパスフィルタ４２１は、受光素子５１０から出力された信号のうち所定の周波数帯域の成分を通過させる。バンドパスフィルタ４２１においては、設定された中心周波数Ｆを中心とする所定の通過帯域幅ｆｗの信号が通過する。本実施形態においては、バンドパスフィルタ４２１を通過する周波数帯域は、たとえば中心周波数Ｆが３６．７ｋＨｚであり、通過帯域幅ｆｗが１０ｋＨｚとされる。バンドパスフィルタ４２１を通過した信号は、制御部４２２に送られる。制御部４２２は、この信号の指令に基づいて複数のＬＥＤモジュール３００の点灯状態を制御する。
【００４２】
可視光カットフィルタ５２０は、赤外線を透過させつつ、可視光線を吸収して当該可視光線の透過を防止するものであり、支持板２２０に取り付けられている。図４および図９に示すように、可視光カットフィルタ５２０は、支持板２２０に対して図中下側（第１方向照射側）に位置しており、円形の板状部５２１と、板状部５２１につながる起立状の環状壁部５２２とを有する。板状部５２１は、支持板２２０の開口部２２１を覆うとともに、外周寄りの部分が支持板２２０と重なっている。板状部５２１における支持板２２０との重合部分の幅Ｗ１は、板状部５２１の厚みＴ１よりも大とされている。
【００４３】
環状壁部５２２は、図４および図９に示すように、板状部５２１から図中下側（第１方向照射側）に延びており、横断面形状が円形である（図１０参照）。環状壁部５２２は、平面視（第１方向視）において開口部２２１の外側に位置しており、本実施形態では、平面視において開口部２２１に隣接している。環状壁部５２２の板状部５２１につながる基端から照射側先端までの長さＬ１は、板状部５２１の厚みＴ１よりも大である。また、環状壁部５２２の厚みＴ２は、好ましくは板状部５２１の厚みＴ１よりも大である。
【００４４】
可視光カットフィルタ５２０を構成する材料としては、たとえばメタクリル樹脂、エポキシ樹脂、ガラス樹脂などを挙げることができる。可視光カットフィルタ５２０の各部の寸法の一例を挙げると、板状部５２１の外径が１０．５ｍｍ程度、板状部５２１の厚みＴ１が１．８ｍｍ程度、環状壁部５２２の厚みＴ２が１．８ｍｍ程度、環状壁部５２２の基端から先端までの長さＬ１が８ｍｍ程度である。なお、環状壁部５２２の厚みＴ２が板状部５２１の厚みＴ１より大であることが好ましく、この場合の環状壁部５２２の厚みＴ２は、たとえば２．５ｍｍ程度である。
【００４５】
ＬＥＤカバー６００は、ＬＥＤチップ３１０（ＬＥＤモジュール３００）を保護するものであり、たとえばポリカーボネートなどの透明の樹脂からなる。図４に示すように、ＬＥＤカバー６００は、支持面２２０ａに対して図中下側（第１方向照射側）に位置しており、ＬＥＤモジュール３００を覆っている。
【００４６】
カバー７００は、支持面２２０ａに対して図４における図中下側（第１方向照射側）に位置しており、支持板２２０（本体２００）およびＬＥＤカバー６００を覆っている。カバー７００は、ＬＥＤ照明器具１０１の外観の大半を構成するものであり、たとえば乳白色の半透明の樹脂からなる。カバー７００は、平面視（第１方向視）において円形とされており、中央から遠ざかるほど図４における図中上方（設置側）に位置するように傾斜している。カバー７００の外縁部は、支持板２２０の外縁部に重合する状態にて、当該外縁部に固定されている。
【００４７】
次に、ＬＥＤ照明器具１０１の作用について説明する。
【００４８】
ＬＥＤチップ３１０から発せられた光の一部は、ＬＥＤカバー６００あるいはカバー７００によって反射され、支持板２２０に向かう。このような反射光は、図９に示すように、概して、上下方向（鉛直方向）に対して比較的大きい角度をなして傾いた方向に進行する。図９において、ＬＥＤチップ３１０からの光の進行方向の例を二点鎖線で示す。
【００４９】
本実施形態においては、リモコン送信機からの赤外線信号を受けるための受光素子５１０が支持板２２０に設けられた開口部２２１に臨んでおり、この開口部２２１は、可視光カットフィルタ５２０によって塞がれている。より具体的には、可視光カットフィルタ５２０は、開口部２２１を覆う板状部５２１を有し、板状部５２１における支持板２２０との重合部分の幅Ｗ１は、板状部５２１の厚みＴ１よりも大とされている。このため、上述した斜め方向に進行するＬＥＤチップ３１０からの光は、可視光カットフィルタ５２０において、必ず板状部５２１の厚みＴ１を超える長さ分、進行する。このような構成によれば、ＬＥＤチップ３１０からの光は、可視光カットフィルタ５２０によって効率よく吸収され、受光素子５１０に到達しにくい。したがって、ＬＥＤ照明器具１０１によれば、受光素子５１０においてリモコンからの赤外線信号を効率よく受信することができ、リモコンの効き具合の改善を図ることができる。
【００５０】
可視光カットフィルタ５２０は、図９等を参照して説明したように、開口部２２１の外側において板状部５２１から図中下側に延びる環状壁部５２２を有する。これにより、上述した斜め方向に進行するＬＥＤチップ３１０からの光は、板状部５２１を通過する前に環状壁部５２２も通過しやすい。したがって、環状壁部５２２を有する構成は、ＬＥＤチップ３１０からの光を可視光カットフィルタ５２０によってより効率よく吸収することができ、リモコンの効き具合を改善するのにより適する。
【００５１】
その一方、受光素子５１０に向けてリモコン送信機から送信された赤外線は、図９において点線で示すように、鉛直方向に対して殆ど傾かない方向に進行する場合が多い。したがって、リモコン送信機からの赤外線が環状壁部５２２を通過する頻度は少なく、環状壁部５２２を設けることによってリモコンの感度が低下することは抑制される。
【００５２】
環状壁部５２２の基端から先端までの長さＬ１が板状部５２１の厚みＴ１よりも大である。これにより、ＬＥＤチップ３１０から発せられ、斜め方向に進行して受光素子５１０に向かう光は、高い割合で環状壁部５２２を通過する。また、環状壁部５２２の厚みＴ２は、板状部５２１の厚みＴ１よりも大である。これにより、環状壁部５２２を通過する、ＬＥＤチップ３１０からの光は、環状壁部５２２によって効率よく吸収される。したがって、これらの環状壁部５２２についての特徴は、リモコンの効き具合を改善するうえでより好ましい。
【００５３】
ＬＥＤチップ３１０の点灯時には、制御部４２２においてスイッチング動作により所定のスイッチング周波数ｆ１を有する直流電圧に降圧し、各ＬＥＤチップ３１０に出力される。ＬＥＤチップ３１０からの光が受光素子５１０に到達すると、上記スイッチング周波数ｆ１（たとえば５０〜１２０ｋＨｚ）に応じた光信号として受信される。本実施形態においては、受光素子５１０にて受信した光信号はバンドパスフィルタ４２１に出力され、当該バンドパスフィルタ４２１において、設定された中心周波数Ｆ（たとえばリモコン送信機から送信される赤外線信号の搬送波である３６．７ｋＨｚ）を中心とする所定の通過帯域幅ｆｗ（たとえば１０ｋＨｚ）の信号が通過する。
【００５４】
上記スイッチング周波数ｆ１（５０〜１２０ｋＨｚ）は、バンドパスフィルタ４２１の中心周波数Ｆ（３６．７ｋＨｚ）、通過帯域幅ｆｗ（１０ｋＨｚ）との間でｆ１＜Ｆ−ｆｗ／２またはＦ＋ｆｗ／２＜ｆ１の関係が成立しており、バンドパスフィルタ４２１を通過する周波数帯域（３２．７〜４１．７ｋＨｚ）に含まれていない。これにより、ＬＥＤチップ３１０からの光が受光素子５１０に到達しても、上記スイッチング周波数ｆ１に応じた光信号がバンドパスフィルタ４２１によって有意に除去される。このことは、リモコンの誤動作防止に寄与し、リモコンの効き具合を改善するのに適する。
【００５５】
上記スイッチング周波数ｆ１の波形（リプル）は、当該スイッチング周波数ｆ１の整数倍の周期で変動することがある。このようなスイッチング周波数ｆ１の変動に対応すべく、スイッチング周波数ｆ１としては、バンドパスフィルタ４２１の中心周波数Ｆ（３６．７ｋＨｚ）、通過帯域幅ｆｗ（１０ｋＨｚ）との間で、ｆ１／Ｎ＜Ｆ−ｆｗ／２、またはＦ＋ｆｗ／２＜ｆ１／Ｎ（Ｎは２以上の整数）の関係が成立するように設定することができる。このようなスイッチング周波数ｆ１は、たとえば８５〜９５ｋＨｚである。これにより、スイッチング周波数ｆ１に上記変動が生じても、当該変動後の周波数がバンドパスフィルタ４２１を通過する周波数帯域に含まれず、リモコンの誤動作防止に適する。
【００５６】
ＬＥＤチップ３１０の明るさの調整に際しては、制御部４２２においてデューティ制御により駆動するためのＰＷＭ信号を生成し、出力電流のオン期間のデューティ比を変化させる。ＬＥＤチップ３１０からの光が受光素子５１０に到達すると、上記したＰＷＭ信号周波数ｆ２（たとえば５００〜１２００Ｈｚ）に応じた光信号として受信される。
【００５７】
上記ＰＷＭ信号周波数ｆ２（５００〜１２００Ｈｚ）は、バンドパスフィルタ４２１の中心周波数Ｆ（３６．７ｋＨｚ）、通過帯域幅ｆｗ（１０ｋＨｚ）との間でｆ２＜Ｆ−ｆｗ／２またはＦ＋ｆｗ／２＜ｆ２の関係が成立しており、バンドパスフィルタ４２１を通過する周波数帯域（３２．７〜４１．７ｋＨｚ）に含まれていない。これにより、ＬＥＤチップ３１０からの光が受光素子５１０に到達しても、上記ＰＷＭ信号周波数ｆ２に応じた光信号がバンドパスフィルタ４２１によって有意に除去される。このことは、リモコンの誤動作防止に寄与し、リモコンの効き具合を改善するのに適する。
【００５８】
上記ＰＷＭ信号周波数ｆ２については、当該ＰＷＭ信号周波数ｆ２の整数倍の超高波ノイズとしてあらわれる場合がある。このようなＰＷＭ信号周波数ｆ２に起因するノイズに対応すべく、ＰＷＭ信号周波数ｆ２としては、バンドパスフィルタ４２１の中心周波数Ｆ、通過帯域幅ｆｗとの間で、ｆ２×Ｎ＜Ｆ−ｆｗ／２、またはＦ＋ｆｗ／２＜ｆ２×Ｎ（Ｎは２以上の整数）の関係が成立するように設定することができる。これにより、ＰＷＭ信号周波数ｆ２に起因するノイズが生じても、当該ノイズの周波数がバンドパスフィルタ４２１を通過する周波数帯域に含まれず、リモコンの誤動作防止に適する。
【００５９】
図１１〜図１３は、本発明の第２実施形態に係るＬＥＤ照明器具を示している。なお、これらの図において、上記実施形態と同一または類似の要素には、上記実施形態と同一の符号を付している。本実施形態のＬＥＤ照明器具１０２は、可視光カットフィルタ５２０およびＬＥＤカバー６００の構成が上記実施形態と異なっている。
【００６０】
本実施形態において、図１１および図１２に示すように、ＬＥＤカバー６００には、上下方向（第１方向）に貫通するカバー開口部６０１が設けられている。図１３に示すように、カバー開口部６０１は、平面視（第１方向視）において、支持板２２０の開口部２２１、および可視光カットフィルタ５２０と重なっている。カバー開口部６０１の内径寸法は、可視光カットフィルタ５２０の環状壁部５２２の外径寸法よりも僅かに大とされている。
【００６１】
可視光カットフィルタ５２０の環状壁部５２２は、上下方向においてカバー開口部６０１を貫通するように延びており、環状壁部５２２の外周面とカバー開口部６０１の内周面とは、互いに対向している。
【００６２】
上記構成の環状壁部５２２によれば、ＬＥＤカバー６００によって反射され、支持板２２０の開口部２２１に向かうＬＥＤチップ３１０からの光は、板状部５２１を通過する前に、確実に環状壁部５２２を通過する。したがって、本実施形態によれば、ＬＥＤチップ３１０からの光を可視光カットフィルタ５２０によってより効率よく吸収することができ、リモコンの効き具合を改善するのにより適する。
【００６３】
ＬＥＤチップ３１０から発せられた光は、ＬＥＤカバー６００の内部を進行する場合がある。本実施形態において、カバー開口部６０１の内周面と環状壁部５２２の外周面とが対向している。このため、図１２を参照するとより理解できるように、ＬＥＤチップ３１０から発せられ、ＬＥＤカバー６００の内部を進行した後にカバー開口部６０１の内周面から出射する光をも、環状壁部５２２によって吸収させることができる。このことは、リモコンの効き具合を改善するうえでより好ましい。
【００６４】
本発明に係るＬＥＤ照明器具は、上述した実施形態に限定されるものではない。本発明に係るＬＥＤ照明器具の各部の具体的な構成は、種々に設計変更自在である。
【符号の説明】
【００６５】
１０１，１０２    ＬＥＤ照明器具
２００    本体
２１０    センター部材
２２０    支持板（支持部）
２２０ａ  支持面
２３０    バックアップ板
２４０    ＬＥＤ基板
２６０    緩衝材
３００    ＬＥＤモジュール
３１０    ＬＥＤチップ
３２０    リード
３２１    実装端子
３３０    ケース
３４０    封止樹脂
４１０    電源基板
４２０    電源部
４２１    バンドパスフィルタ
４２２    制御部
５１０    受光素子
５２０    可視光カットフィルタ
５２１    板状部
５２２    環状壁部
６００    ＬＥＤカバー
６０１    カバー開口部
７００    カバー
８００    天井
８０１    給電部
８０２    設置部品
【図１】
2014022101.tif 000003
【図２】
2014022101.tif 000004
【図３】
2014022101.tif 000005
【図４】
2014022101.tif 000006
【図５】
2014022101.tif 000007
【図６】
2014022101.tif 000008
【図７】
2014022101.tif 000009
【図８】
2014022101.tif 000010
【図９】
2014022101.tif 000011
【図１０】
2014022101.tif 000012
【図１１】
2014022101.tif 000013
【図１２】
2014022101.tif 000014
【図１３】
2014022101.tif 000015
【図１４】
2014022101.tif 000016